(57)【要約】【課題】受信したビーコン情報に基づくＷｅｂページへのアクセスを制限することを可能とする。【解決手段】サービス提供システム１００の携帯端末２によれば、制御部２０１は、ビーコン受信部２０６によりデジタルサイネージ装置１からビーコン情報を受信してからの経過期間に基づいて、ビーコン情報に含まれるＩＤ情報に対応付けられたＷｅｂページへのアクセスを制御する。例えば、ビーコン情報を受信してからの経過期間が所定の期間を超えていない場合に、受信したビーコン情報に対応付けられたＵＲＬのＷｅｂページへのアクセスを許可し、ビーコン情報を受信してからの経過期間が所定の期間を超えている場合に、受信したビーコン情報に対応付けられたＵＲＬのＷｅｂページへのアクセスを禁止する。【選択図】図５
2017156872.tif 000002
【特許請求の範囲】
【請求項１】
ビーコン情報を受信する受信手段と、
前記ビーコン情報を受信してからの経過期間に基づいて、所定のＷｅｂページへのアクセスを制御する制御手段と、
を備える通信装置。
【請求項２】
前記制御手段は、前記ビーコン情報を受信してからの経過期間に基づいて、前記ビーコン情報に対応付けられたＷｅｂページへのアクセスを制御する請求項１に記載の通信装置。
【請求項３】
前記制御手段は、前記ビーコン情報を受信してからの経過期間が所定の期間を超えていない場合に、前記ビーコン情報に対応付けられたＵＲＬのＷｅｂページへのアクセスを許可し、前記ビーコン情報を受信してからの経過期間が所定の期間を超えている場合に、前記ビーコン情報に対応付けられたＵＲＬのＷｅｂページへのアクセスを禁止する請求項２に記載の通信装置。
【請求項４】
前記制御手段は、前記ビーコン情報に対応付けられたＵＲＬのＷｅｂページへのアクセスが指示された場合に、前記ビーコン情報を受信してからの経過期間が所定の期間を超えている場合は、前記Ｗｅｂページとは異なるＷｅｂページにアクセスするように制御する請求項２に記載の通信装置。
【請求項５】
前記受信手段がビーコン情報を受信した場合、前記ビーコン情報に対応付けられたＵＲＬのＷｅｂページへのアクセス可能な期間を表示する表示手段と、
を更に備えたことを特徴とする請求項１〜４の何れか一項に記載の通信装置。
【請求項６】
ビーコン情報を受信する工程と、
前記ビーコン情報を受信してからの経過期間に基づいて、所定のＷｅｂページへのアクセスを制御する工程と、
を含むＷｅｂアクセス制御方法。
【請求項７】
ビーコン情報を受信する受信手段を備える通信装置に用いられるコンピュータを、
前記ビーコン情報を受信してからの経過期間に基づいて、所定のＷｅｂページへのアクセスを制御する制御手段、
として機能させるためのプログラム。
【発明の詳細な説明】
【技術分野】
【０００１】
本発明は、通信装置、Ｗｅｂアクセス制御方法及びプログラムに関する。
【背景技術】
【０００２】
従来、携帯端末等の通信装置で受信したビーコン情報に含まれるＩＤ情報に基づいて広告情報を提供するシステムが知られている。例えば、特許文献１には、端末装置において、街中に配置されたアクセスポイント装置が放出している電波ビーコンを検知してＳＳＩＤを蓄積し、ユーザ操作に応じて当該履歴をサーバ装置に送信し、サーバ装置において、受信した履歴に含まれるＳＳＩＤに対応付けられた広告情報を端末装置に送信するシステムが記載されている。
【０００３】
また、近年では、顧客の来店を促すために、店舗内に所定のＵＲＬ（Uniform Resource Locator）に対応するＩＤ情報を含むビーコン情報を発信するビーコンを配置し、ビーコン情報を受信した通信装置でそのＩＤ情報に対応するＵＲＬにアクセスすると、クーポン等の有用なサービスを提供するシステムも知られている。
【先行技術文献】
【特許文献】
【０００４】
【特許文献１】特開２００９−１８８９２２号公報
【発明の概要】
【発明が解決しようとする課題】
【０００５】
しかしながら、従来の技術では、一旦ＩＤ情報を通信装置に記憶してしまえば、通信装置におけるユーザ操作に応じていつでも場所を問わずにＩＤ情報に対応するＵＲＬのＷｅｂページにアクセスしてサービスを受けることができてしまっていた。そのため、再来店を促すことができないという問題があった。
【０００６】
本発明の課題は、受信したビーコン情報に基づくＷｅｂページへのアクセスを制限できるようにすることである。
【課題を解決するための手段】
【０００７】
上記課題を解決するため、請求項１に記載の発明の通信装置は、
ビーコン情報を受信する受信手段と、
前記ビーコン情報を受信してからの経過期間に基づいて、所定のＷｅｂページへのアクセスを制御する制御手段と、
を備える。
【発明の効果】
【０００８】
本発明によれば、受信したビーコン情報に基づくＷｅｂページへのアクセスを制限することが可能となる。
【図面の簡単な説明】
【０００９】
【図１】本実施形態におけるサービス提供システムの全体構成を示す図である。
【図２】図１のデジタルサイネージ装置の機能的構成を示すブロック図である。
【図３】図２のスクリーン部の概略構成を示す図である。
【図４】図１の携帯端末の機能的構成を示すブロック図である。
【図５】図３の制御部により実行されるＷｅｂアクセス制御処理を示すフローチャートである。
【発明を実施するための形態】
【００１０】
以下、添付図面を参照して本発明に係る好適な実施形態を詳細に説明する。以下の実施形態では、本発明に係る通信装置を携帯端末２に適用した場合を例にとり説明する。なお、本発明は、図示例に限定されるものではない。
【００１１】
［サービス提供システム１００の構成］
図１は、本発明の実施形態におけるサービス提供システム１００の全体構成を示す図である。サービス提供システム１００は、店舗に設置されたデジタルサイネージ装置１のビーコン発信部３１の通信エリア内に入った携帯端末２のユーザに、例えば、クーポン付与等のサービスを提供するシステムである。サービス提供システム１００は、図１に示すように、デジタルサイネージ装置１、携帯端末２、ＵＲＬ提供サーバ３、及びＷｅｂサーバ４を備えて構成されている。デジタルサイネージ装置１のビーコン発信部３１と携帯端末２は、Bluetooth（登録商標）による近距離無線通信が可能である。また、携帯端末２とＵＲＬ提供サーバ３、携帯端末２とＷｅｂサーバ４は、それぞれ無線ＬＡＮ（Local Area Network）、移動体通信網、インターネット等を含む通信ネットワークＮを介して通信接続可能である。
【００１２】
［デジタルサイネージ装置１の構成］
図２は、本実施形態におけるデジタルサイネージ装置１の主制御構成を示すブロック図である。図３は、図２のスクリーン部２２の概略構成を示す正面図である。デジタルサイネージ装置１は、例えば、店舗等に設置され、顧客に対して商品説明等のコンテンツを出力する装置である。
【００１３】
図２に示すように、デジタルサイネージ装置１は、コンテンツの映像光を照射する投影部２１と、投影部２１から照射された映像光を背面で受けて前面に投影するスクリーン部２２とを備えている。
【００１４】
まず、投影部２１について説明する。
投影部２１は、制御部２３と、プロジェクタ２４と、記憶部２５と、ネットワーク通信部２６と、を備えている。プロジェクタ２４、記憶部２５、ネットワーク通信部２６は、図２に示すように制御部２３に接続されている。
【００１５】
制御部２３は、記憶部２５に記憶されている各種のプログラムを実行して所定の演算や各部の制御を行うＣＰＵ（Central Processing Unit）とプログラム実行時の作業領域となるメモリとを備えている（いずれも図示略）。制御部２３は、記憶部２５のプログラム記憶部２５１に記憶されているプログラムとの協働により、プロジェクタ２４や音声出力部３３を制御して店舗内の商品に係るコンテンツを出力させる。また、ビーコン発信部３１により所定時間毎に所定のＩＤ情報を含むビーコン情報を発信させる。
【００１６】
プロジェクタ２４は、制御部２３から出力されたコンテンツの画像データを映像光に変換してスクリーン部２２に向けて照射する投影装置である。プロジェクタ２４は、例えば、アレイ状に配列された複数個（ＸＧＡの場合、横１０２４画素×縦７６８画素）の微小ミラーの各傾斜角度を個々に高速でオン／オフ動作して表示動作することでその反射光により光像を形成する表示素子であるＤＭＤ（デジタルマイクロミラーデバイス）を利用したＤＬＰ（Digital Light Processing）(登録商標)プロジェクタが適用可能である。
【００１７】
記憶部２５は、ＨＤＤ（Hard Disk Drive）や不揮発性の半導体メモリ等により構成される。記憶部２５には、図２に示すように、プログラム記憶部２５１、コンテンツ記憶部２５２が設けられている。
【００１８】
プログラム記憶部２５１には、制御部２３で実行されるシステムプログラムや各種処理プログラム、これらのプログラムの実行に必要なデータ等が記憶されている。
【００１９】
コンテンツ記憶部２５２には、デジタルサイネージ装置１で出力されるコンテンツのコンテンツデータが記憶されている。コンテンツデータは、主として複数のフレーム画像により構成される動画データ及び各フレーム画像に対応する音声データにより構成されていることとするが、画像データ（静止画データ又は動画データ）のみ、又は音声データのみにより構成されるものが含まれていてもよい。
【００２０】
ネットワーク通信部２６は、モデム、ルータ、ネットワークカード等により構成され、通信ネットワークを介して外部機器との通信を行う。
【００２１】
次に、スクリーン部２２について説明する。
スクリーン部２２には、図３に示すように、画像形成部２７と、画像形成部２７を支持する台座２８とが備えられている。
【００２２】
画像形成部２７は、映像光の照射方向に対して略直交するように配置された、例えばアクリル板などの人型に成形された一枚の透光板２９に、フィルム状のフレネルレンズが積層された背面投影用のフィルムスクリーンが貼付されて構成されたスクリーンである。なお、画像形成部２７の形状は、ここでは人型として示しているが、その形状は特に限定されるものではない。
【００２３】
台座２８には、ビーコン発信部３１と、ボタン式の操作部３２と、音声を出力するスピーカなどの音声出力部３３とが設けられている。
【００２４】
ビーコン発信部３１は、Bluetooth Low Energy（ＢＬＥ）の通信方式により、予め設定された送信強度で予め設定されたＩＤ情報を含むビーコン情報を所定時間毎にブロードキャストする。ＩＤ情報は、携帯端末２において受けることのできるサービスを識別するための情報である。
【００２５】
ビーコン発信部３１、操作部３２、音声出力部３３は、図２に示すように制御部２３に接続されている。
【００２６】
［携帯端末２の構成］
図４は、携帯端末２の主制御構成を示すブロック図である。携帯端末２は、顧客が携帯しているスマートフォンや携帯電話機等の通信装置であり、図４に示すように、制御部２０１、記憶部２０２、操作部２０３、表示部２０４、ネットワーク通信部２０５、ビーコン受信部２０６、計時部２０７等を備えて構成されている。
【００２７】
制御部２０１は、記憶部２０２のプログラム記憶部２２１に記憶されている各種のプログラムを実行して所定の演算や各部の制御を行うＣＰＵとプログラム実行時の作業領域となるメモリとを備えている（いずれも図示略）。制御部２０１は、記憶部２０２のプログラム記憶部２２１に記憶されているアプリケーションプログラムとの協働により、後述するＷｅｂアクセス制御処理を実行することにより、制御手段として機能する。
【００２８】
記憶部２０２は、不揮発性の半導体メモリ等により構成される。記憶部２０２には、図４に示すように、プログラム記憶部２２１が設けられている。プログラム記憶部２２１には、制御部２０１で実行されるシステムプログラム、後述するＷｅｂアクセス制御処理を実行するためのアプリケーションプログラム、Ｗｅｂを閲覧するためのＷｅｂブラウザ、ファイアウォールソフトウエア、これらのプログラムの実行に必要なデータ等が記憶されている。
【００２９】
また、記憶部２０２には、ビーコン情報を受信した日時を格納するための受信日時記憶部２２２、受信したビーコン情報に含まれるＩＤ情報を格納するためのＩＤ情報記憶部２２３が設けられている。
【００３０】
操作部２０３は、各種機能キーを備え、ユーザによる各キーの押下入力を受け付けてその操作情報を制御部２０１に出力する。また、操作部２０３は、表示部２０４の表面を覆うように透明電極を格子状に配置したタッチパネル等を有し、手指やタッチペン等で押下された位置を検出し、その位置情報を操作情報として制御部２０１に出力する。  
【００３１】
表示部２０４は、ＬＣＤ（Liquid Crystal Display）等により構成され、制御部２０１からの表示制御信号に従って、画面上に各種表示を行う。
【００３２】
ネットワーク通信部２０５は、無線により基地局又はアクセスポイントを介して通信ネットワークＮに接続し、通信ネットワークＮに接続された外部機器との通信を行う。
【００３３】
ビーコン受信部２０６は、Bluetooth Low Energy（ＢＬＥ）の通信方式により、例えば、デジタルサイネージ装置１のビーコン発信部３１等の外部のビーコン発信機と近距離無線通信を行い、ビーコン発信機から発信されたビーコン情報を受信する。また、ビーコン受信部２０６は、受信したBluetooth通信の電波の電波強度を検出し、その検出情報を制御部２０１に出力する機能を有する。ビーコン受信部２０６は、受信手段として機能する。
【００３４】
計時部２０７は、ＲＴＣ（Real Time Clock）等により構成され、現在日時を取得して制御部２０１に出力する。
【００３５】
［ＵＲＬ提供サーバ３の構成］
ＵＲＬ提供サーバ３は、制御部、記憶部、操作部、表示部、通信部等を備えたコンピュータ装置である。ＵＲＬ提供サーバ３の記憶部には、ＩＤ情報と、そのＩＤ情報を受信した携帯端末２がアクセス可能なＵＲＬと、が対応付けて記憶されている。ＵＲＬ提供サーバ３は、携帯端末２からＩＤ情報及び当該ＩＤ情報に応じたＵＲＬの送信要求を受信すると、記憶部を参照し、ＩＤ情報に応じたＵＲＬを読み出して携帯端末２に送信する。
【００３６】
［Ｗｅｂサーバ４の構成］
Ｗｅｂサーバ４は、携帯端末２に搭載されたＷｅｂブラウザにより指定されたＵＲＬに対応する格納場所からＷｅｂページを表示するための情報を読み出して、携帯端末２に送信する。本実施形態におけるＷｅｂページは、例えば、クーポン等を提供するページである。
【００３７】
［サービス提供システム１００の動作］
次に、サービス提供システム１００の動作について説明する。
図５に、携帯端末２において実行されるＷｅｂアクセス制御処理のフローチャートを示す。Ｗｅｂアクセス制御処理は、制御部２０１とプログラム記憶部２２１に記憶されているアプリケーションプログラムとの協働により実行される。
【００３８】
まず、制御部２０１は、ビーコン受信部２０６により電波が受信されたか否かを判断する（ステップＳ１）。即ち、デジタルサイネージ装置１のビーコン発信部３１等から発信された電波が受信されたか否かを判断する。
【００３９】
ビーコン受信部２０６により電波が受信されたと判断した場合（ステップＳ１；ＹＥＳ）、制御部２０１は、計時部２０７から現在日時を取得し、取得した現在日時を受信日時として受信日時記憶部２２２に格納（上書き）する（ステップＳ２）。
【００４０】
次いで、制御部２０１は、ビーコン受信部２０６により受信した電波のビーコン情報に含まれるＩＤ情報を取得し（ステップＳ３）、取得したＩＤ情報がＩＤ情報記憶部２２３に格納されているＩＤ情報と一致しているか否かを判断する（ステップＳ４）。
取得したＩＤ情報がＩＤ情報記憶部２２３に格納されているＩＤ情報と一致していると判断した場合（ステップＳ４；ＹＥＳ）、制御部２０１は、ステップＳ１に戻る。
【００４１】
取得したＩＤ情報がＩＤ情報記憶部２２３に格納されているＩＤ情報と一致していないと判断した場合（ステップＳ４；ＮＯ）、制御部２０１は、取得したＩＤ情報をＩＤ情報記憶部２２３に格納（上書き）する（ステップＳ５）。
【００４２】
次いで、制御部２０１は、ＵＲＬ提供サーバ３から当該ＩＤ情報に対応するＵＲＬを取得する（ステップＳ６）。即ち、取得したＩＤ情報をネットワーク通信部２０５によりＵＲＬ提供サーバ３に送信し、当該ＩＤ情報に対応するＵＲＬの送信要求を行い、ＵＲＬ提供サーバ３からＩＤ情報に対応するＵＲＬを取得する。
【００４３】
次いで、制御部２０１は、取得したＵＲＬをファイアウォールの許可ＵＲＬリストに登録する（ステップＳ７）。そして、制御部２０１は、ブラウザを起動して、取得したＵＲＬによりＷｅｂサーバ４にアクセスを行わせ、Ｗｅｂページを表示部２０４に表示させ（ステップＳ８）、ステップＳ１に戻る。
【００４４】
一方、ステップＳ２において、ビーコン受信部２０６により電波が受信されていないと判断した場合（ステップＳ１；ＮＯ）、制御部２０１は、受信日時記憶部２２２を参照し、ビーコン情報を受信してから所定期間経過したか否かを判断する（ステップＳ９）。
ビーコン情報を受信してから所定期間経過していないと判断した場合（ステップＳ９；ＮＯ）、制御部２０１は、ステップＳ１に戻る。
【００４５】
一方、ＩＤ情報を受信してから所定期間経過したと判断した場合（ステップＳ９；ＹＥＳ）、制御部２０１は、ＩＤ情報記憶部２２３にＩＤ情報が格納されているか否かを判断する（ステップＳ１０）。
ＩＤ情報記憶部２２３にＩＤ情報が格納されていないと判断した場合（ステップＳ１０；ＮＯ）、制御部２０１は、ステップＳ１に戻る。
【００４６】
ＩＤ情報記憶部２２３にＩＤ情報が格納されていると判断した場合（ステップＳ１０；ＹＥＳ）、制御部２０１は、ＩＤ情報記憶部２２３に格納されているＩＤ情報に対応するＵＲＬをファイアウォールの禁止ＵＲＬリストに登録する（ステップＳ１１）。これにより、ビーコン情報を最後に受信してから所定期間が経過した後は、ユーザがデジタルサイネージ装置１から受信したビーコン情報に対応するＵＲＬをブラウザから指定してＷｅｂページにアクセスすることができなくなる。即ち、ユーザがビーコン情報に対応するＵＲＬのＷｅｂページにアクセスしたい場合には、携帯端末２とともに再度来店してデジタルサイネージ装置１のビーコン発信部３１から電波の届く範囲に行く必要があるため、ユーザの再来店を促すことが可能となる。
【００４７】
そして、制御部２０１は、ＩＤ情報記憶部２２３に格納されているＩＤ情報をクリアして（ステップＳ１２）、ステップＳ１に戻る。
【００４８】
制御部２０１は、アプリケーションプログラムが起動されている間、ステップＳ１〜ステップＳ１２の処理を繰り返し実行する。
【００４９】
以上説明したように、サービス提供システム１００の携帯端末２によれば、制御部２０１は、ビーコン受信部２０６によりデジタルサイネージ装置１からビーコン情報を受信してからの経過期間に基づいて、ビーコン情報に含まれるＩＤ情報に対応付けられたＷｅｂページへのアクセスを制御する。例えば、ビーコン情報を受信してからの経過期間が所定の期間を超えていない場合に、受信したビーコン情報に対応付けられたＵＲＬのＷｅｂページへのアクセスを許可し、ビーコン情報を受信してからの経過期間が所定の期間を超えている場合に、受信したビーコン情報に対応付けられたＵＲＬのＷｅｂページへのアクセスを禁止する。
【００５０】
従って、携帯端末２において受信したビーコン情報に基づくＷｅｂページへのアクセスをビーコン情報を受信してから所定期間内に制限することができるので、ユーザがビーコン情報を受信してから所定期間を経過してからＷｅｂページにアクセスしてサービスを受けたくなった場合には、携帯端末２とともに再度デジタルサイネージ装置１の設置された店舗に出向くことが必要となり、再来店を促すことが可能となる。
【００５１】
なお、上記実施形態における記述内容は、本発明に係るサービス提供システムの好適な一例であり、これに限定されるものではない。
【００５２】
例えば、上記実施形態においては、ビーコン情報を受信してからの経過期間が所定の期間を超えている場合に、受信したビーコン情報のＩＤ情報に対応付けられたＵＲＬをファイアウォールの許可ＵＲＬから禁止ＵＲＬに切り替えることにより、ビーコン情報に対応付けられたＵＲＬのＷｅｂページへのアクセスを制御することとしたが、Ｗｅｂページへのアクセス制御の手法としては、これに限定されない。例えば、操作部２０３により受信したビーコン情報のＩＤ情報に対応付けられたＵＲＬのＷｅｂページへのアクセスが指示された場合に、制御部２０１は、そのＵＲＬの末尾にパラメーターとしてビーコン情報の受信日時を付加してＷｅｂブラウザを起動することで、Ｗｅｂサーバ４において、受信日時からの経過期間が所定の期間を超えている場合に、指示されたＵＲＬのＷｅｂページとは異なるＷｅｂページにアクセスするように制御することとしてもよい。このようにすれば、上記実施形態と同様に、携帯端末２において受信したビーコン情報に基づくＷｅｂページへのアクセスをビーコン情報を受信してから所定期間内に制限することができるので、ユーザがビーコン情報を受信してから所定期間を経過してからＷｅｂページにアクセスしてサービスを受けたくなった場合には、携帯端末２とともに再度デジタルサイネージ装置１の設置された店舗に出向くことが必要となり、再来店を促すことが可能となる。さらに、アクセスしたＷｅｂページにビーコンの受信日時に基づいてアクセス可能な期間を表示しても良い。
【００５３】
また、上記実施形態においては、ビーコン情報を受信してからの経過期間に基づいてＷｅｂへのアクセスを制御する場合を例にとり説明したが、これに限定されない。例えば、操作部２０３により受信したビーコン情報のＩＤ情報に対応付けられたＵＲＬのＷｅｂページへのアクセスが指示された場合に、制御部２０１は、ビーコン受信部２０６により電波強度を検出し、検出した電波強度が所定の強度以上である場合に、ＩＤ情報に対応付けられたＵＲＬのＷｅｂページへのアクセスを許可し、検出した電波強度が所定の強度を下回る場合は、ＩＤ情報に対応付けられたＵＲＬのＷｅｂページへのアクセスを禁止することとしてもよい。或いは、指示されたＵＲＬのＷｅｂページとは異なるＷｅｂページにアクセスするように制御することとしてもよい。これにより、ユーザがビーコン情報に対応するＵＲＬのＷｅｂページにアクセスしたい場合には、携帯端末２とともにデジタルサイネージ装置１のビーコン発信部３１から電波が所定の強度以上の範囲に行く必要があるため、ユーザの再来店を促すことが可能となる。
【００５４】
また、ビーコン情報を受信した後、表示部２０４にポップアップ表示をおこなってもよく、そのポップアップ表示にＷｅｂページにアクセス可能な期間を表示しても良い。
その他、サービス提供システムを構成する各装置の細部構成及び細部動作に関しても、発明の趣旨を逸脱することのない範囲で適宜変更可能である。
【００５５】
本発明のいくつかの実施形態を説明したが、本発明の範囲は、上述の実施形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
［付記］
＜請求項１＞
ビーコン情報を受信する受信手段と、
前記ビーコン情報を受信してからの経過期間に基づいて、所定のＷｅｂページへのアクセスを制御する制御手段と、
を備える通信装置。
＜請求項２＞
前記制御手段は、前記ビーコン情報を受信してからの経過期間に基づいて、前記ビーコン情報に対応付けられたＷｅｂページへのアクセスを制御する請求項１に記載の通信装置。
＜請求項３＞
前記制御手段は、前記ビーコン情報を受信してからの経過期間が所定の期間を超えていない場合に、前記ビーコン情報に対応付けられたＵＲＬのＷｅｂページへのアクセスを許可し、前記ビーコン情報を受信してからの経過期間が所定の期間を超えている場合に、前記ビーコン情報に対応付けられたＵＲＬのＷｅｂページへのアクセスを禁止する請求項２に記載の通信装置。
＜請求項４＞
前記制御手段は、前記ビーコン情報に対応付けられたＵＲＬのＷｅｂページへのアクセスが指示された場合に、前記ビーコン情報を受信してからの経過期間が所定の期間を超えている場合は、前記Ｗｅｂページとは異なるＷｅｂページにアクセスするように制御する請求項２に記載の通信装置。
＜請求項５＞
前記受信手段がビーコン情報を受信した場合、前記ビーコン情報に対応付けられたＵＲＬのＷｅｂページへのアクセス可能な期間を表示する表示手段と、
を更に備えたことを特徴とする請求項１〜４の何れか一項に記載の通信装置。
＜請求項６＞
ビーコン情報を受信する工程と、
前記ビーコン情報を受信してからの経過期間に基づいて、所定のＷｅｂページへのアクセスを制御する工程と、
を含むＷｅｂアクセス制御方法。
＜請求項７＞
ビーコン情報を受信する受信手段を備える通信装置に用いられるコンピュータを、
前記ビーコン情報を受信してからの経過期間に基づいて、所定のＷｅｂページへのアクセスを制御する制御手段、
として機能させるためのプログラム。
【符号の説明】
【００５６】
１  デジタルサイネージ装置
２１  投影部
２２  スクリーン部
２３  制御部
２４  プロジェクタ
２５  記憶部
２５１  プログラム記憶部
２５２  コンテンツ記憶部
２６  ネットワーク通信部
２７  画像形成部
２８  台座
２９  透光板
３１  ビーコン発信部
３２  操作部
３３  音声出力部
２  携帯端末
２０１  制御部
２０２  記憶部
２２１  プログラム記憶部
２２２  受信日時記憶部
２２３  ＩＤ情報記憶部
２０３  操作部
２０４  表示部
２０５  ネットワーク通信部
２０６  ビーコン受信部
２０７  計時部
３  ＵＲＬ提供サーバ
４  Ｗｅｂサーバ
【図１】
2017156872.tif 000003
【図２】
2017156872.tif 000004
【図３】
2017156872.tif 000005
【図４】
2017156872.tif 000006
【図５】
2017156872.tif 000007